(57)【要約】      （修正有）【課題】機器を取り替える場合のコンフィギュレーションデータの利用性が改善され、簡単に交換可能な記憶装置の利点を失うことなく、電子機器のコンフィギュレーションデータを交換用データ媒体に保存する可能性を提供する。【解決手段】差込可能な端子の代表的な構成は、少なくとも１つの電気式または光学式の導体を接続するためのクランプ部材と、少なくとも１つの電気式または光学式の導体を電子機器と接続するための第１の接続部材とを有する差込可能な端子１００において、差込可能な端子１００はデータの記憶装置７を有しており、電子機器によって記憶装置のデータの読出および／または保存をする手段が設けられており、さらに、差込可能な端子１００が取外し可能に配置されたコンフィギュレーション可能な電子機器において、差込可能な端子１００はコンフィギュレーションデータの記憶装置７を有している。【選択図】図３
2013246831.tif 000002
【特許請求の範囲】
【請求項１】
少なくとも１つの電気式または光学式の導体を接続するためのクランプ部材と、少なくとも１つの電気式または光学式の導体を電子機器と接続するための第１の接続部材（１５）とを有する差込可能な端子（１００）において、
差込可能な端子（１００）はデータの記憶装置（７）を有しており、電子機器によって記憶装置のデータの読出および／または保存をする手段が設けられていることを特徴とする差込可能な端子。
【請求項２】
電子機器によって記憶装置のデータの読出および／または保存をする前記手段は端子（１００）に配置された電気式および／または光学式の接触部（９）として構成されていることを特徴とする、請求項１に記載の差込可能な端子（１００）。
【請求項３】
電子機器によって記憶装置のデータの読出および／または保存をする前記手段は記憶装置（７）と電子機器との間の無線接続として構成されていることを特徴とする、請求項１または２に記載の差込可能な端子（１００）。
【請求項４】
第１の接続部材（１５）は接触ピンとして構成されていることを特徴とする、先行請求項のうちいずれか１項に記載の差込可能な端子（１００）。
【請求項５】
第１の接続部材（１５）はばね接点として構成されていることを特徴とする、請求項１から３のいずれか１項に記載の差込可能な端子（１００）。
【請求項６】
第１の接続部材（１５）は配線板エッジコネクタとして構成されていることを特徴とする、請求項１から３のいずれか１項に記載の差込可能な端子（１００）。
【請求項７】
記憶装置（７）は差込可能な端子（１００）と差込可能に接続されることを特徴とする、先行請求項のうちいずれか１項に記載の差込可能な端子（１００）。
【請求項８】
差込可能な記憶装置（７）はメモリーカードとして構成されていることを特徴とする、請求項７に記載の差込可能な端子（１００）。
【請求項９】
差込可能な端子（１００）は、電子機器と接続するための第２の接続部材（５）と導電接続された、差込可能な記憶装置（７）と接触するための電気接触部（９）を有していることを特徴とする、請求項７または８に記載の差込可能な端子（１００）。
【請求項１０】
差込可能な記憶装置（７）と接触するための電気接触部（９）は電子機器と接続するための第２の接続部材（５）とそれぞれ一体的に施工されていることを特徴とする、請求項９に記載の差込可能な端子（１００）。
【請求項１１】
一体的に施工された電気接触部（９）および第２の接続部材（５）は打抜き部品または打抜き・曲げ部品であることを特徴とする、請求項１０に記載の差込可能な端子（１００）。
【請求項１２】
記憶装置（７）は、差込可能な端子（１００）の差込方向と反対を向く少なくとも１つの成分を有する方向で、差込可能な端子（１００）に差込可能であることを特徴とする、請求項７から１０のいずれか１項に記載の差込可能な端子（１００）。
【請求項１３】
記憶装置（７）は外部から開口部を通じて差込可能な端子（１００）に差込可能であることを特徴とする、先行請求項のうちいずれか１項に記載の差込可能な端子（１００）。
【請求項１４】
差込可能な端子（１００）が取外し可能に配置された、コンフィギュレーションデータによりコンフィギュレーション可能な電子機器において、
差込可能な端子（１００）はコンフィギュレーションデータの記憶装置（７）を有していることを特徴とする電子機器。
【請求項１５】
差込可能な端子（１００）が取外し可能に配置された、コンフィギュレーションデータによりコンフィギュレーション可能な電子機器において、
差込可能な端子（１００）は請求項１から１３のいずれか１項に記載の差込可能な端子（１００）として構成されていることを特徴とする電子機器。
【発明の詳細な説明】
【技術分野】
【０００１】
本発明は、請求項１の前提項の構成要件を有する差込可能な端子に関するものであり、および、そのような差込可能な端子を備える電子機器に関するものである。
【背景技術】
【０００２】
今日用いられる電子機器の１つの主要な側面は、異なる用途への順応可能性が高いことにある。しかしこうした順応可能性と並行して、所与の電子機器の能力の最善の活用は特定の用途を前提にしているのが通常であり、機器はその利用目的のためにコンフィギュレーションされており、これに帰属するコンフィギュレーションデータが記憶装置に保存されており、電子機器がこれにアクセスできるようになっている。
【０００３】
コンフィギュレーションそのものは、特に個別的に使用される電子機器の場合、しばしば機器の通常の操作者よりも高い能力の者によって実行されなければならず、膨大な時間を必要とすることがある。
【０００４】
このことは、特に機器が故障のせいで修理もしくは交換しなくてはならない場合には、常に不愉快である。そうしたケースでは、代替機器を使用せざるを得ず、それをまたコンフィギュレーションしなければならないからである。
【０００５】
これと結びついた時間と費用のコストを大幅に回避するために、機器に取替可能に配置された交換可能な記憶媒体に、たとえばＳＤカードに、コンフィギュレーションデータを保存しておくことが知られている。それにより、代替機器により置き換えられる機器から交換可能な記憶媒体を取り出して、交換可能な記憶媒体を代替機器へ挿入することによって、故障した機器の機能を引き継ぐべき代替機器のコンフィギュレーションを行うことが可能となる。このようなプロセスは、通常、代替機器の完全な新規コンフィギュレーションよりもはるかに迅速に実行可能であり、そのうえ、能力の高くない者でも自分で実行することができる。
【０００６】
こうした対応策は、理論上は、上に検討したような問題点を解消してくれるものの、実際上はそれが当てはまらないことが示されている。すなわち、機器の不具合が引き起こす繁忙の中で、故障した機器から記憶媒体を実際に取り外すことがしばしば失念される。代替機器が来て、コンフィギュレーションデータを利用しようとしたときに初めて、記憶媒体を故障した機器とともに処分してしまっていたり、修理に出してしまっていることが判明し、そのために、高いコストのかかる新規コンフィギュレーションを行う以外の選択肢がなくなってしまう。
【発明の概要】
【発明が解決しようとする課題】
【０００７】
したがって本発明の課題は、機器を取り替える場合のコンフィギュレーションデータの実際の利用性が改善され、その際に、簡単に交換可能な記憶装置の利点を失うことがない、電子機器のコンフィギュレーションデータを交換用データ媒体に保存する可能性を提供することにある。
【課題を解決するための手段】
【０００８】
この課題は、請求項１の構成要件を有する差込可能な端子によって解決され、および、請求項１１の構成要件を有する差込可能な端子が取外し可能に配置された電子機器によって解決される。本発明の好ましい実施形態は、従属請求項の対象となっている。
【０００９】
本発明による差込可能な端子は、少なくとも１つの電気式または光学式の導体を接続するためのクランプ部材と、少なくとも１つの電気式または光学式の導体を電子機器と接続するための第１の接続部材とを有している。
【００１０】
本発明の要部となるのは、差込可能な端子がデータの記憶装置を有しており、電子機器によって記憶装置のデータの読出および／または保存をする手段が設けられていることにある。
【００１１】
本発明が依拠する知見は、多くのケースにおいて機器を交換するときには、それが処分の目的であれ修理の目的であれ機器自体だけが取り外されるのであって、それが通信および／または統合される他の機器との接続や、機器の利用場所から電流供給部までの接続は取り外されないというものである。
【００１２】
したがって、外界と電子機器の通信のために、および／またはその電流供給のために数多くのケースでもともと存在し、機器の交換にあたって接続ケーブルと接続されたまま保たれる差込可能な端子にコンフィギュレーションデータを保存するという、請求項１の特徴部の構成要件によってもたらされる可能性の創出により、代替機器のためのコンフィギュレーションデータの利用可能性を有意に改善することができる。
【００１３】
１つの好ましい実施形態では、電子機器によって記憶装置のデータの読出および／または保存をする手段は、端子に配置された電気式および／または光学式の接触部として構成されていてよい。したがって電子機器から記憶装置へのアクセスは端子を介して行われ、原則として、電子機器と端子の間で電気式または光学式のデータ伝送を行うことができ、端子と記憶装置の間で電気式または光学式のデータ伝送を行うことができる。
【００１４】
本発明の１つの好ましい実施形態では、前記手段は、たとえばＲＦＩＤ技術に基づく、または光学接続の形態の、記憶装置と電子機器の間の無線接続として構成されている。このようにして、電子機器と記憶装置の間の直接的な通信も可能である。
【００１５】
電気機器または電子機器の種類と利用目的に応じて、第１の接続部材が接触ピン、ばね接点、または配線板エッジコネクタとして構成されていると好ましい。
【００１６】
基本的に、記憶装置は端子の表面または内部で定置に設けられていてよいが、記憶装置が取外し可能であり、特に端子と差込可能に接続されていると、特別に成果が実証されている。このことは、たとえば機器コンフィギュレーションが新しいものと交換されるべきケースに備えて、記憶装置の簡単な交換可能性を保証する。
【００１７】
基本的に、記憶装置はコンポーネント、モジュール、またはメモリーカードとして構成されていてよい。しかしながら、記憶装置がメモリーカードとして構成されていると、交換可能、差込可能な記憶装置の特別に簡単な具体化の可能性が得られる。
【００１８】
本発明の特別に好ましい発展例では、差込可能な端子は、電子機器と接続するための第２の接続部材と電気接続された、差込可能な記憶装置と接触するための電気接触部を有している。このことは、電子機器とのインターフェースを簡単に維持することを可能にする。
【００１９】
この態様の１つの特別な発展例は、差込可能な記憶装置と接触するための電気接触部が、電子機器と接続するための第２の接続部材とそれぞれ一体的に施工されることを意図している。それにより、接触損のリスクを最低限に抑えることができる。一体的に施工される電気接触部と、第２の接続部材とが打抜き部品または打抜き・曲げ部品であると、これを特別に低コストに実現することができる。
【００２０】
（ベクトルとして見たときに）差込可能な端子の差込方向と反対を向く、すなわち差込可能な端子が電子コンポーネントまたは電子機器に差し込まれる方向と反対を向く、少なくとも１つの成分を有する方向で、記憶装置を差込可能な端子へ差込可能であると、差込可能な記憶装置の不正な取出しを防止することができる。その帰結として、端子が差し込まれた状態のとき、電子コンポーネントまたは電子機器は、差込可能な記憶装置の取外しを妨げ、もしくは少なくとも難しくする。理想的な場合、差込可能な記憶装置の差込方向は、このような方向を向く成分だけを有している。
【００２１】
記憶装置は外部から開口部を通じて差込可能な端子に差込可能であることが意図されるのが好ましい。それにより、記憶装置が簡単に組付可能かつ簡単にアクセス可能となる。
【００２２】
差込可能な端子が取外し可能に配置された、コンフィギュレーションデータによりコンフィギュレーション可能な本発明による電子機器は、コンフィギュレーションデータの記憶装置を有する差込可能な端子を有しており、特に、本発明による差込可能な端子を有している。補足として指摘しておくと、電気機器は通常、他の取付部品を備える電子デバイスとみなすことができる。
【００２３】
それぞれ直接的に適用することができる上に挙げた差込可能な端子の発展例に加えて、このような種類の電子コンポーネントの１つの好ましい実施形態は、差込可能な端子を有しているコンフィギュレーションデータの記憶装置がコンフィギュレーションのただ１つの記憶装置であり、すなわち、従来技術で電子機器に設けられるコンフィギュレーションデータの記憶装置を省略できることを意図している。
【発明の効果】
【００２４】
本発明によれば、機器を取り替える場合のコンフィギュレーションデータの実際の利用性が改善され、その際に、簡単に交換可能な記憶装置の利点を失うことがない、電子機器のコンフィギュレーションデータを交換用データ媒体に保存する可能性を提供することができる。
【００２５】
次に、図面を参照しながら一例を挙げて本発明を説明する。図面は次のものを示している：
【図面の簡単な説明】
【００２６】
【図１】差込可能な記憶装置が差し込まれていない、本発明の一実施例を示す図である。
【図２】差込可能な記憶装置が差し込まれている、図１に基づく本発明の実施例である。
【図３】差込可能な記憶装置が収容される領域で図２の図を示す断面図である。
【図４】接続端子の領域で図２の図を示す断面図である。
【発明を実施するための形態】
【００２７】
図面はすべて同一の実施例に関わるものであるので、どの図面でも同じ符号が用いられており、図面を見やすさを向上させるために、および各図面の主要な側面に集中することを容易にするために、部分的には、すべての符号をすべての図面に記入してはいない。
【００２８】
図１は、相並んで配置された４つの配線挿入口３を有する、カバー２の付いた端子ハウジング１を有する差込可能な端子１００を示している。さらに端子ハウジング１は、図４にだけ見ることのできるクランプねじ１３のための４つの開口部４を有している。開口部４は配線挿入口３に対して垂直に延びており、それぞれ１つの配線挿入口３に割り当てられている。
【００２９】
差込可能な端子１００は、カバー２と向かい合う側に、配線板エッジコネクタを備える電子機器の図示しない配線板を収容するためのスリット状の開口部６を有している。配線板の配線板エッジコネクタがスリット状の開口部６へ差し込まれたときの導電接続は、ここでは接触ばねとして構成され、スリット状の開口部６の内側の壁面に配置された接続部材５，１５を介して成立する。図３の断面図に特によく見ることができるように、スリット状の開口部６と平行に上方で延びるように、ここではＳＤメモリーカードとして構成された、すなわち差込可能に構成されたデータの記憶装置７のために、収容シャフト１４が配置されている。このとき収容シャフト１４は外部から開口部を通じてアクセス可能であるのが好ましく、それにより、外部から開口部を通じて差込可能な端子の中へ、特に差込可能な端子の収容シャフト１４の中へ、記憶装置７を差込可能である。
【００３０】
差込可能な記憶装置７が、差込可能な端子１００の差込方向に対して反対向きに差し込まれることにつながる上記の構造は、端子１００が差し込まれたとき、差込可能な記憶装置７を著しく困難な状況のもとでしか取り外せないということにつながる。
【００３１】
図２に示す差込可能な端子１００の図面と、図１に示す図面との唯一の相違は、メモリーカードとして施工されたデータの記憶装置７が、読取可能かつ書込可能である差し込まれた状態で図示されていることにある。
【００３２】
図３の断面図では、ここではＳＤカードとして施工された記憶装置７のデータへの、図示しない配線板の読取アクセスおよび／または書込アクセスのための接続が、第２の接続部材５によってどのように成立するかを特によく見ることができる。
【００３３】
そのために、記憶装置７に設けられた接触面１６と、同じく接触ばねとして施工された第２の接続部材５との間の導電接続を成立させる接触ばね８が設けられている。図３に示す実施形態では、接触ばね８と第２の接続部材５はいずれも単一の接触部９の各区域によって構成されており、すなわち互いに一体的に結合されている。
【００３４】
ここで明文をもって指摘しておくと、基本的に第２の接続部材５に代えて、たとえばＲＦＩＤ技術に基づく無線接続や光学式の接続が、電子機器の配線板と記憶装置７との間の接続されていてもよい。
【００３５】
念のために図４の断面図を参照して、図示しない配線板と図示しないデータ回線および／または供給回線との接続の観点から、差込可能な端子１００の機能形態について手短に再度説明しておく。図示しないデータ回線および／または供給回線は、絶縁されていない端部区域でそれぞれの配線挿入口３へ挿入され、それぞれ付属する開口部４に配置されたクランプねじ１３によってそこで固定される。そのためにクランプねじ１３は、さらに開口部４を通ってクランプ体１１の中へねじ込まれ、それによってクランプ体１１は、クランプねじ１３の頭部が開口部４の中で突き当たるので、クランプねじ１３の頭部に向かう方向に引っ張られ、そのようにして、データ回線および／または供給回線の端部区域は、クランプねじ１３の頭部と反対を向いているクランプねじ１３の端部に当接する接触ヨーク１２と、クランプ体１１との間でクランプをするように固定される。接触ヨーク１２は、第１の接続部材１５と導電接続される。図４の図面では、この両者は互いに一体的に結合されて、それぞれ打抜き・曲げ部品の区域として施工されている。
【００３６】
このように、図示しない配線板の配線板エッジコネクタがスリット状の開口部６に挿入されると、第１の接続部材１５および接触ヨーク１２を介して、データ回線および／または供給回線との導電接続が成立し、クランプ体１１、接触ヨーク１２、およびクランプ部材の一例の実施形態としてのクランプねじ１３が協働作用する。
【符号の説明】
【００３７】
１  端子ハウジング
２  端子ハウジングのカバー
３  回線挿入口
４  クランプねじのための開口部
５  第２の接続部材
６  スリット状の開口部
７  記憶装置
８  接触ばね
９  接触部
１１  クランプ体
１２  接触ヨーク
１３  クランプねじ
１４  収容シャフト
１５  第１の接続部材
１６  接触面
１００  差込可能な端子
【図１】
2013246831.tif 000003
【図２】
2013246831.tif 000004
【図３】
2013246831.tif 000005
【図４】
2013246831.tif 000006